(57)【要約】【課題】風による廃棄物の飛散防止、鳥や動物の食い荒らしの防止、雪の重みによる廃棄物回収容器内への潜り込みの防止、更には設置に無関係な第三者の廃棄物回収容器内への廃棄物投棄の防止が出来る、廃棄物回収容器に簡単に脱着可能な蓋を提供する。【解決手段】廃棄物回収容器の開口部にかぶさる矩形の下枠と、この下枠に重なり開口部が下枠と同形状である食品用トレーを上下逆向きにした形や蒲鉾屋根型や切妻屋根型のいずれかの覆い部材からなり、その覆い部材は、上部中央にある梁に蝶番により開閉自在に設けられた覆い板と覆い板以外は穿孔板や網板で構成され、下枠と覆い部材に蝶番により付属する係止部の重ね合わせ部、または覆い板と下枠の重ね合わせ部には鍵が掛る仕組みになっている。【選択図】  図１
2007186343.tif 000002
【特許請求の範囲】
【請求項１】
箱状をした廃棄物回収容器の上面開口部に合致する蓋であって、この蓋は、廃棄物回収容器の開口部にかぶさる矩形の下枠と、この下枠に重なり開口部が下枠と同形状である食品用トレーを上下逆向きにした形や蒲鉾屋根型や切妻屋根型のいずれかの覆い部材からなり、この覆い部材は穿孔板または網板で構成されている廃棄物回収容器の蓋。
【請求項２】
覆い部材の上部には、その長辺方向に沿って梁が渡され、その梁には蝶番により開閉自在に設けられた覆い板が取り付けられている請求項１に記載の蓋。
【請求項３】
覆い部材は、その矩形短辺中央部を横切る状態で２分割されており、下枠の長辺と、下枠の長辺に接する覆い部材の長辺とを繋いでいる蝶番により、覆い部材がそれぞれ容器の外側に開くことが出来るように構成されている請求項１に記載の蓋。
【請求項４】
開閉する覆い板の開放端と覆い部材の接する部分には、施錠構造を備えている請求項２に記載の蓋。
【請求項５】
開口部が下枠と同形状の覆い部材には、蝶番により係止部が取り付けられ、この係止部は、廃棄物回収容器の開口部の外側へ張り出した突出部を抱える抱え込み片を備えている請求項１または３に記載の蓋。
【請求項６】
覆い部材に取り付けられた係止部と下枠との重ね合わせ部には、施錠構造が備えられている請求項５に記載の蓋。
【請求項７】
蓋は、その矩形の下枠の間口寸法が、廃棄物回収容器の開口部の間口寸法よりも大きく構成されて、その矩形の４隅部が、容器開口部の４角部で支持される構造である請求項１または３に記載の蓋。
【発明の詳細な説明】
【技術分野】
【０００１】
本発明は、廃棄物を回収するための廃棄物回収容器の蓋に関し、例えば、建設現場や事業所で発生する産業廃棄物などを回収する際に利用される、主として鉄箱からなる廃棄物回収容器の開口部にかぶせるものである。
【背景技術】
【０００２】
従来、建設現場や事業所に設置された廃棄物回収容器は、上部が開口した箱状のものが主であり、そのままの状態で用いられるか、若しくは鳥や動物による廃棄物の食い荒らしや、風による廃棄物の飛散防止のために、開口部をシートや網で覆っていた。
【０００３】
従来の廃棄物回収容器の開口部を覆う方法には、シート状のカバー材を用いるもの（例えば、特許文献１参照）がある。
【特許文献１】特開２００２−２６５００２号公報
【発明の開示】
【発明が解決しようとする課題】
【０００４】
しかしながら、上述した従来のような廃棄物回収容器を開口したままの状態や、シートや網でその開口部を覆う方式では、降雪時には、シートや網が雪の重みで廃棄物回収容器の中に潜り込み、雪とシートや網、さらには既に投棄された廃棄物を分別しながら、廃棄物回収容器内の除雪をするには多大な労力がかかった。また、廃棄物回収容器の設置に無関係な第三者の廃棄物投棄を防ぐことも出来なかった。
【０００５】
そこで本発明者は、鳥や動物による廃棄物の食い荒らしや風による廃棄物の飛散を防止し、なおかつ除雪も容易で、建設現場や事業所に設置されて用いるに好適な廃棄物回収容器の開口部を覆う開閉可能な蓋を提供することを主たる目的とする。また開閉可能な蓋は施錠機構を備えていて、設置に無関係な第三者の廃棄物回収容器内への廃棄物投棄を防止することも目的とする。
【課題を解決するための手段】
【０００６】
本発明は、箱状をした廃棄物回収容器の上面開口部に合致する蓋であって、この蓋は、廃棄物回収容器の開口部にかぶさる矩形の下枠と、この下枠に重なり開口部が下枠と同形状である食品用トレーを上下逆向きにした形や蒲鉾屋根型や切妻屋根型のいずれかの覆い部材からなり、この覆い部材は穿孔板または網板で構成されているものである。
【０００７】
本発明でいう覆い部材の上部には、その長辺方向に沿って梁が渡され、その梁には蝶番により開閉自在に設けられた覆い板が取り付けられている。
【０００８】
さらに覆い部材は、その矩形短辺中央部を横切る状態で２分割されており、下枠の長辺と、下枠の長辺に接する覆い部材の長辺とを繋いでいる蝶番により、覆い部材がそれぞれ容器の外側に開くことが出来るように構成されている。
【０００９】
さらに、開閉する覆い板の開放端と覆い部材の接する部分には、施錠構造を備えているものである。
【００１０】
また、開口部が下枠と同形状の覆い部材には、蝶番により係止部が取り付けられ、この係止部は、廃棄物回収容器の開口部の外側へ張り出した突出部を抱える抱え込み片を備えている。
【００１１】
そしてまた、覆い部材に取り付けられた係止部と下枠との重ね合わせ部には、施錠構造が備えられている。
【００１２】
さらにまた、その矩形の下枠の間口寸法が、廃棄物回収容器の開口部の間口寸法よりも大きく構成されて、その矩形の４隅部が、容器開口部の４隅部で支持される構造である。
【発明の効果】
【００１３】
本発明の蓋によれば、鳥や動物による廃棄物の食い荒らしや風による廃棄物の飛散防止、降雪時に生じる廃棄物回収容器内への雪の重みによる潜り込みの防止、さらには設置に無関係な第三者の廃棄物回収容器内への廃棄物投棄の防止もできるため、廃棄物回収容器管理者の管理労力の軽減及び、廃棄物回収容器の交換回数を減らすことによる経費の削減を図ることが出来る。
【実施例１】
【００１４】
以下、本発明を図に沿って説明する。
図１は、廃棄物回収容器１（以下、「容器１」という。）に蓋２をかぶせた状態の正面図であり、図２はその側面図、図３はその斜視図である。
【００１５】
容器１は、例えば、間口2200ｍｍ、奥行き1600ｍｍ、深さ900ｍｍの大きさに、鉄枠と、その枠を鉄板で覆う状態に成形され、上部が開口された容器である。
【００１６】
本発明の特徴とする蓋２は、例えば、間口2300ｍｍ、奥行き1700ｍｍ、支柱の高さ600ｍｍの大きさに成形され、容器１の開口部にかぶさるＬ型アングルからなる矩形の下枠３と、開口部がこの下枠と同形状の矩形枠４と、この矩形枠から上方へ複数本伸び出た支柱５と、支柱の先端部にまたがって一体化されたエ字状態の上枠６と、その上枠６の中央の梁に蝶番により上下開閉自在に設けられた、例えば、孔の大きさ１０ｍｍ〜２０ｍｍの穿孔板または網板からなる一対の翼状の覆い板７とから構成され、覆い板７がかぶさる以外の支柱５の間は、穿孔板または網板の８（以下、「網板８」という。）で覆われているものである。
【００１７】
さらに、この容器１にかぶせた蓋２の取り替えを考えると、大きさと重さをから簡単に持ち運ぶことが難しいことから、蓋２の上枠６の中央の梁に適当な間隔で設置した吊りフック９を数箇所（図面では２箇所）設け、この吊りフック９にワイヤー等を掛け、蓋２をクレーン等で吊り上げて容器１にかぶせ、容器１と蓋２を一体として建設現場や事業所に設置するとよい。
【００１８】
図３や図４に示すように、例えば、覆い板７には、矩形枠４に取り付けられた半丸環状の突起１０を飛び出させる孔が開けられていて、矩形枠４と覆い板７とが重なりあった際、その突起部１０に南京錠１１のような鍵を掛け、この鍵を外さないと覆い板７を開けることが出来ない構造とした。
【００１９】
蓋２には、例えば、図２、図５、図６に示すような矩形枠４に、蝶番１２により取り付けられたＬ型の係止部１３が設けられている。この係止部１３は、容器１開口部の外側へ張り出した突出部１４を抱え込み、さらに下枠３に取り付けた半丸環状の突起部１５が飛び出すよう孔が開けられている。この係止部１３を下枠と重ね、その突起部１５に南京錠１６のような鍵を掛け、鍵を外さないと、容器１と蓋２を分離出来ないような構造とした。これにより風による蓋２自体の飛散や容器１内の廃棄物の飛散を防ぎ、また設置に無関係な第三者の容器１内への廃棄物の投棄も防ぐことが出来る。なお、下枠を除いて蓋２が矩形枠の短辺で２分割される場合は、図５、図６で示したように、分割された蓋にはそれぞれ係止部が取り付けられることになる。この図示したものでは、係止部が重なって突起部１５を外側に突き出させている。
【００２０】
容器１に廃棄物を投棄する場合、図７に示す状態のように、覆い板７同士についている蝶番１７を支点に谷折して、覆い板７を半開すると、小さな廃棄物は容易に両側から投棄できる。大きな廃棄物は図８に示す状態のように、覆い板７同士を蝶番１７を支点に山折りし、上枠６の中央の梁と覆い板７を繋ぐ蝶番１８を支点に折り畳むことで、覆い板７をめくり上げて、全開出来るようになっており、大きな廃棄物も両側から投入出来る。
【００２１】
図９に示すように、下枠３と短辺の中央部より分割された矩形枠４を繋いでいる蝶番１９により、蓋２を容器１の外側両方に開けば、さらに大きな廃棄物を投入することが出来る。
【００２２】
蓋２を容器１にかぶせた状態では、例えば図５に示すように、容器１の突出部１４と、その突出部１４と平行になる下枠３の１辺２０との間におよそ30ｍｍの隙間を作るよう、下枠３のＬ型アングルの垂下辺である他の一辺２１の隅部同士に渡す図５や図１０で示すような例えば鉄製の棒２２を付けたり、あるいは図示しないが、一辺２０と突出部１４の角が接する部分に、例えば、ブロック状のスペーサーを固定し、その棒２２やスペーサーが突出部１４の４角と接し、蓋２を支えるようになっている。また、下枠３の矩形の開口部の幅が容器１の開口部の幅に対して、例えば、およそ50ｍｍ〜100ｍｍ大きいため、容器１の開口部が多少変形していても、棒２２やスペーサーの４点支持と、Ｌ型アングルの一辺２１が容器１の上面開口部を覆うため、容器開口部をしっかり覆うことが出来る。
【００２３】
さらにこの蓋２は、他の同様の蓋２を重ねやすいように下枠３から上枠６に向って傾斜（テーパー）がついているため、吊りフック９を利用してクレーン等により吊り上げ、図１１の状態ように複数個の蓋２を容易に上へ積み重ねることができる。また取り外す際もクレーン等で吊りフック９を利用して吊り上げれば容易に外すことができる。このように蓋２を積み重ねて保管することが出来るので場所をとらず、置き場所のスペース削減につながる。
【実施例２】
【００２４】
蓋２の形状は、廃棄物をより多く収納出来るよう、短辺方向から見て山形であれば、図１２や図１３に示すように、蒲鉾屋根型２aや切妻屋根型２bでもあるいはその他の形でもよい。また覆い板も、図２に示す台形状では片側２枚、図１２や図１３に示す形状では片側１枚としたが、１枚では覆い板が大きくなりすぎて開閉しにくい場合は、利便性を考え覆い板を複数枚分割し蝶番で繋いでも良いし、逆に蓋２の強度が足りない場合は、覆い板の一部を固定し、例えば図７に示す状態のように上面を固定し、側面の覆い板の１枚部分しか開かない状態にしてもよい。
【実施例３】
【００２５】
上記で蓋２の枠材質は金属製としたが、枠に強度が欲しい場合は、枠や支柱間に補強のための柱や梁や筋違い（斜め材）を渡してもよいし、その枠材質が堅固な材質であれば軽量化を図るため、アルミニウム、プラスチック、またはＦＲＰなどほかの材質でも良い。覆い板７や網板８の材質も金属製のほか、通常の取扱い方法で破けないものあれば、その他の材質でもよいし、覆い板７や網板８に使用する穿孔板や網板自体が堅固な材質であれば、枠を省略し、例えば金型を使用した金属の押し出し成形や、プラスチックの一体成形等で覆い板７や網板８自体の形を保たせても良い。また蓋２の係止部１３の形も、突出部１４を抱き込む形であれば、Ｌ型のほか、コ型でも他の形であってもよい。また、下枠の形は矩形としたが、容器１に付属する吊りフックの取り付け場所によっては、フックを避ける形に蓋２の形を変形させてもよい。
【実施例４】
【００２６】
また図３で示した蓋は、請求項２に記載の覆い板と請求項３に記載の容器の外側に開くことが出来る機能を一緒に盛り込んだ形としたが、蓋２の重量が重くなることや、コストが掛りすぎることを考慮し、それぞれの機能を単独で持たせても良い。
【産業上の利用可能性】
【００２７】
上述のように本発明の蓋では、風による廃棄物回収容器内の廃棄物の飛散防止、鳥や動物の食い荒らしの防止、降雪時には、廃棄物回収容器内への雪の重みによる潜り込みの防止、さらには設置に無関係な第三者の廃棄物回収容器内への廃棄物投棄等の防止ができるため、廃棄物回収容器管理者の労力の軽減及び、廃棄物回収容器の交換回数を減らすことによる経費の削減を図ることができる。
【図面の簡単な説明】
【００２８】
【図１】本発明の蓋を廃棄物回収容器に載せた状態の正面図
【図２】その側面図
【図３】その斜視図
【図４】矩形枠に覆い板が重なった状態の斜視図
【図５】下枠に係止部が重なった状態の側面図
【図６】矩形枠に設けた係止部を示す斜視図
【図７】翼状の覆い板を半開させた状態の側面図
【図８】翼状の覆い板を全開させた状態の側面図
【図９】本発明の蓋を外側に開いた状態の側面図
【図１０】蓋下枠の４角に設置する鉄棒の状態を示す下面図
【図１１】同サイズの蓋を重ね合わせた状態の側面図
【図１２】蒲鉾屋根型における側面図
【図１３】切妻屋根型における側面図
【符号の説明】
【００２９】
１  容器
２  蓋
３  下枠
４  矩形枠
５  支柱
６  上枠
７  覆い板
８  穿孔板または網板
９  吊りフック
半丸環状の突起部
南京錠
蝶番
係止部
突出部
半丸環状の突起部
南京錠
【図１】
2007186343.tif 000003
【図２】
2007186343.tif 000004
【図３】
2007186343.tif 000005
【図４】
2007186343.tif 000006
【図５】
2007186343.tif 000007
【図６】
2007186343.tif 000008
【図７】
2007186343.tif 000009
【図８】
2007186343.tif 000010
【図９】
2007186343.tif 000011
【図１０】
2007186343.tif 000012
【図１１】
2007186343.tif 000013
【図１２】
2007186343.tif 000014
【図１３】
2007186343.tif 000015
【手続補正書】
【提出日】平成19年1月30日(2007.1.30)
【手続補正１】
【補正対象書類名】特許請求の範囲
【補正対象項目名】請求項１
【補正方法】変更
【補正の内容】
【請求項１】
箱状をした産業廃棄物回収容器の上面開口部に合致する蓋であって、この蓋は、前記回収容器の開口部に分離可能にかぶさる矩形のL型アングルよりなる下枠と、この下枠に重なり開口部が下枠と同形状である食品用トレーを上下逆向きにした形や蒲鉾屋根型や切妻屋根型のいずれかの覆い部材からなり、この覆い部材は穿孔板または網板で構成されている廃棄物回収容器の蓋。
【手続補正書】
【提出日】平成19年3月9日(2007.3.9)
【手続補正１】
【補正対象書類名】特許請求の範囲
【補正対象項目名】請求項１
【補正方法】変更
【補正の内容】
【請求項１】
屋外で使用する箱状をした鉄製の産業廃棄物回収容器の上面開口部に合致する蓋であって、この蓋は、前記回収容器の開口部と分離可能にかぶさる矩形のL型アングルよりなる下枠と、この下枠に重なり開口部が下枠と同形状である食品用トレーを上下逆向きにした形や蒲鉾屋根型や切妻屋根型のいずれかの覆い部材からなり、この覆い部材は穿孔板または網板で構成されている廃棄物回収容器の蓋。